(57)【要約】【課題】  電動モータの各相間ショートによる電気ブレーキモードを回避するための複数のモータリレーの異常判断を簡素な構成で行うモータ制御装置を提供すること。【解決手段】  中性点電圧をモニターする機能を備え、この中性点電圧により、複数のモータリレーの異常判断を行うようにした。【選択図】      図２
2018046625.tif 000002
【特許請求の範囲】
【請求項１】
中性点でスター結線された複数のステータコイルを有する電動モータと、
前記複数のステータコイルへの通電を制御するインバータと、
前記インバータを制御するマイクロプロセッサと、
前記中性点と前記インバータの間において、前記複数のステータコイルと共に配置され、前記インバータから前記複数のステータコイルのそれぞれへの電力の供給を遮断する複数のモータリレーと、
前記前記マイクロプロセッサ内に設けられ、前記中性点の電圧に基づき、前記複数のモータリレーの異常の有無を判断するモータリレー異常判断部と、
を有することを特徴とするモータ制御装置。
【請求項２】
請求項1に記載のモータ制御装置において、
前記複数のモータリレーのそれぞれは、前記複数のステータコイルのそれぞれよりも前記中性点側に配置されていることを、
を特徴とするモータ制御装置。
【請求項３】
請求項１に記載のモータ制御装置は、
電源と前記インバータの間に設けられ、前記電源からの電力の供給と遮断を切り換える電源リレーを備え、
前記マイクロプロセッサは、前記モータリレー異常判断部により前記モータリレーに異常が無いと判断されたとき、前記電源リレーを遮断状態から通電状態に切り換える電源リレー制御部を備えること、
を特徴とするモータ制御装置。
【請求項４】
請求項3に記載のモータ制御装置において、
前記モータリレー異常判断部は、前記電源リレー制御部が前記電源リレーを遮断状態から通電状態に切り換えるまでは、前記複数のモータリレーの遮断状態について判断し、通電状態については判断しないこと、
を特徴とするモータ制御装置。
【請求項５】
請求項１に記載のモータ制御装置は、
電源と前記インバータの間に設けられ、前記インバータに対し前記電源の電圧よりも低い電圧を供給するプリチャージ回路を備え、
前記モータリレー異常判断部は、前記プリチャージ回路によって前記インバータに電力が供給された状態において前記複数のモータリレーの異常の有無を判断すること、
を特徴とするモータ制御装置。
【請求項６】
請求項１に記載のモータ制御装置は、
前記中性点の電圧を検出する電圧モニター回路を備え、
前記前記電圧モニター回路には、所定の電圧が印加されていること、
を特徴とするモータ制御装置。
【発明の詳細な説明】
【技術分野】
【０００１】
本発明は、電動モータ異常診断機能を有するモータ制御装置に関する。
【背景技術】
【０００２】
従来のモータ制御装置においては、３相電動モータの不導通及び短絡異常を検出すると、電動モータの電気ブレーキモードを回避するために、各コイルとインバータの間に配置された各モータリレー接点のうち、異常を検出したコイルのモータリレーをオフすることにより、正常なコイルのみにて正確に電動モータの制御を行うようにしていた。
（例えば特許文献１）。
【先行技術文献】
【特許文献】
【０００３】
【特許文献１】特開２０１３−２３３９３２号
【発明の概要】
【発明が解決しようとする課題】
【０００４】
しかし、電動モータの異常時には的確な制御を行えるが、これを実施するモータリレーの異常検出を行っておらず、モータリレーの異常発生時には、的確な電動モータの制御が行えない恐れがあった。
本発明は、上記問題に着目してなされたもので、モータリレーの異常時にも的確な制御を行えるモータ制御装置を提供することにある。
【課題を解決するための手段】
【０００５】
上記目的を達成するため、本発明のモータ制御装置では、インバータを制御するマイクロプロセッサが複数のステータコイルの中性点の電圧に基づき、複数のモータリレーの異常を判断するようにした。
【発明の効果】
【０００６】
複数のステータコイルの異常時に、当該複数のステータコイルへの電力の供給を遮断する複数のモータリレーの異常を検出できるようにしたので、複数のモータリレー異常時の電動モータの制御を確実に中止することができる。また、中性点の電圧に基づき、複数のモータリレーの異常を判断するようにしたので、各複数のステータコイル毎に、Ａ／Ｄコンバータを設ける必要もない。
【図面の簡単な説明】
【０００７】
【図１】本発明に係る電動パワーステアリング装置のシステム構成図である。
【図２】実施例１のモータ制御装置の具体的構成を示すブロック図である。
【図３】実施例１の異常判定の制御フローを示す図である。
【図４】実施例２のモータ制御装置の具体的構成を示すブロック図である。
【発明を実施するための形態】
【０００８】
以下、本発明のモータ制御装置を実現する形態を、図面に示す実施例に基づき説明する。
【０００９】
［実施例１］
図1は電動パワーステアリング装置のシステム構成図である。
ステアリングシャフト１の図示上方端部には、図示しないステアリングホイールに運転者から作用される操舵力が伝達される。このステアリングシャフト１の図示下方は、操舵トルクセンサ２、舵角センサ３を介して図示しないピニオンに連結している。このピニオンは図示しないラックに?合しピニオンの回転運動をラックの車幅方向の直進運動に変換し、タイロッド６を介して図示しない操舵輪を操舵している。
また、該ラックには、操舵補助機構４が連結されている。この操舵補助機構４は、ラックに連結した減速機５と、この減速機５に連結された操舵補助力を発生する電動モータ７とこの電動モータ７を制御するモータ制御装置８とを備えている。
【００１０】
図２は、実施例１のモータ制御装置８の具体的構成を示すブロック図である。
モータ制御装置８は、電動パワーステアリングの機能を司る演算をマイクロプロセッサ１３が実施している。該マイクロプロセッサ１３への車速等の情報入手および電動パワーステアリングの状態を出力する車両通信部１４が設けられている。また、マイクロプロセッサ１３には操舵トルクセンサ２より操舵トルク信号も入力されている。
【００１１】
そのモータ制御装置８の直流電源としてのバッテリー９からの電力を、前記マイクロプロセッサ１３内に設けられた電源リレー制御部１３ｂによりＯＮ−ＯＦＦされる電源リレー１０、該電源リレー１０をＯＮする時の突入電流を低減させるために、ＯＮする前にあらかじめ前記電源リレー１０の下流の電位を前記電源リレー１０上流の電位に近づけるためのバッテリー９の電圧より低い電圧（例えば、'３'Ｖ以下）を供給するプリチャージ回路１５が設けられている。また、マイクロプロセッサ１３へは、回路電源作成部１６を介してバッテリー９からの電力が供給される。さらに、前記電源リレー１０下流の電圧を電圧モニター回路２２にてモニターして、マイクロプロセッサ１３へ入力している。
【００１２】
前記電動モータ７を適切に駆動するため、該電動モータ７を駆動するためのインバータ回路１１内の図示しないＦＥＴに、前記マイクロプロセッサ１３にて演算されたインバータ駆動指令をＰＷＭ信号として出力するプリドライバー１７を設けている。インバータ回路１１は、電動モータ７の回転出力を制御するための電流制御機能を有している。インバータ回路１１の下流には、直流電流を検出するモータ電流検出部１２が設けられている。その検出された電流値は、マイクロプロセッサ１３に入力される。該インバータ回路１１で制御されたモータ電流はスター結線からなる三相ブラシレスモータである電動モータ７に印加されるようになっている。
【００１３】
また、このインバータ回路１１と前記電動モータ７の中性点１８の間には、各複数のステータコイルＵ、Ｖ、Ｗ相に対し、マイクロプロセッサ１３によりＯＮ−ＯＦＦ制御される複数のモータリレー１９ａ、１９ｂ、１９ｃが設けられている。さらに、前記電動モータ７の回転位置を検出するためのモータ回転位置検出部２０が設けられ、モータ回転位置をマイクロプロセッサ１３に入力している。また、中性点１８の電圧をモニターする所定の電圧が印加されている中性点電圧モニター回路２１により、検出された中性点電圧がマイクロプロセッサ１３に入力されている。
【００１４】
図３は、マイクロプロセッサ１３のモータリレー異常判断部１３ａが行う複数のモータリレー１９ａ、１９ｂ、１９ｃの異常判定の制御フローを示す図である。この制御フローは、モータ制御装置起動後、操舵補助制御を開始する前の初期診断として実行される。
【００１５】
図３の制御フロー起動後、ステップ４０において前記電源リレー１０をＯＦＦ作動させる。ステップ４１では、複数のモータリレー１９ａ、１９ｂ、１９ｃをＯＦＦ作動させる。つづいてステップ４２でプリチャージフラグが'１'か否か（プリチャージが終了しているか否か）を確認し、フラグが'１'であればステップ４６へ進む。フラグが'１'でない場合には、ステップ４３へ進み、プリチャージ回路１５によりプリチャージを開始する。ステップ４４では、前記電源リレー１０の下流の電圧と所定電圧値Ａを比較し、所定電圧値Ａ越えたか否かを判定する。越えていなければ、ステップ４９に進み、プリチャージを継続する。越えていれば、ステップ４５に進み、プリチャージフラグを'１'にするとともに、プリチャージを終了し、ステップ４６に進み、インバータ回路１１内の図示しない上アームＦＥＴをＯＮ作動させ、複数のモータリレー１９ａ、１９ｂ、１９ｃに電力を供給する。
【００１６】
つぎに、ステップ４７において、複数のモータリレー１９ａ、１９ｂ、１９ｃの異常判定を行う。すなわち、マイクロプロセッサ１３内のモータリレー異常判断部１３ａにて、検出した中性点電圧と所定電圧値Ｂを比較し、その比較結果に基づいて、複数のモータリレー１９ａ、１９ｂ、１９ｃの異常を検出する。具体的には、複数のモータリレー１９ａ、１９ｂ、１９ｃが指示通り遮断状態（開）であれば、中性点電圧はほぼ'１'Ｖ以下の'０'Ｖ近傍となり、複数のモータリレー１９ａ、１９ｂ、１９ｃのいずれかが通電状態（閉）であれば、中性点電圧は、'６'Ｖ近傍となるため、異常判定が可能となる。中性点電圧が所定値Ｂ以下であれば、ステップ４８に進み、前記複数のモータリレー１９ａ、１９ｂ、１９ｃを正常と判断し、制御フローを終了し、次に前記電源リレー１０、複数のモータリレー１９ａ、１９ｂ、１９ｃをＯＮ作動し、操舵補助制御を開始する。中性点電圧が所定値Ｂ以上であれば、ステップ５０に進み、異常カウンタ値を所定値Ｃと比較し、所定値Ｃ以下であれば、ステップ５１に進み、異常カウンタ値を'１'加算し、ステップ４７に戻る。この異常カウンタ値の比較は、誤判断を防止するために行っている。異常カウンタ値が所定値Ｃ以上であれば、ステップ５２に進み、前記複数のモータリレー１９ａ、１９ｂ、１９ｃのいずれかが異常であると判定し、ステップ５３で操舵補助制御（アシスト）の開始を中止するとともに、ステップ５４で図示しないワーニングランプを点灯して、制御フローを終了する。
なお、本制御フローでは、複数のモータリレー１９ａ、１９ｂ、１９ｃの遮断状態での故障判断のみ行っており、複数のモータリレー１９ａ、１９ｂ、１９ｃの通電状態での異常判断（オープン故障判断）については、電動モータ７の駆動制御中において、電動モータ７の電流値を確認することにより、行っている。
【００１７】
［効果］
実施例1において得られる効果について、以下に列記する。
【００１８】
(1) インバータ回路１１を制御するマイクロプロセッサ１３が複数のステータコイルＵ、Ｖ、Ｗ相の中性点１８の電圧に基づき、複数のモータリレーの異常を判断するようにした。
よって、複数のステータコイルＵ、Ｖ、Ｗ相の異常時に、当該複数のステータコイルへの電力の供給を遮断する複数のモータリレー１９ａ、１９ｂ、１９ｃの異常を検出できるようにしたので、複数のモータリレー１９ａ、１９ｂ、１９ｃ異常時の電動モータの制御を確実に中止することができる。また、中性点の電圧に基づき、複数のモータリレー１９ａ、１９ｂ、１９ｃの異常を判断するようにしたので、各複数のステータコイルＵ、Ｖ、Ｗ相毎に、Ａ／Ｄコンバータを設ける必要もない。
【００１９】
(2) 前記マイクロプロセッサ１３は、前記複数のモータリレー１９ａ、１９ｂ、１９ｃに異常がないと判断されたときに、電源リレー１０を遮断状態から通電状態に切り換えるようにした。
よって、複数のモータリレー１９ａ、１９ｂ、１９ｃがすべて正常であると確認できた後に、インバータ回路１１への電力供給を許可するので、モータ制御装置８の安全性を向上させることができる。
【００２０】
(3) 前記複数のモータリレー１９ａ、１９ｂ、１９ｃの異常判断は、遮断状態か否かのみを判断し、通電状態を判断していない。
よって、遮断状態のみについて判断を実施し、正常であれば電源リレー１０を通電状態とするので、早期に電源リレー１０を通電状態とすることができ、モータ制御開始タイミングを早めることができる。
【００２１】
(4) 前記複数のモータリレー１９ａ、１９ｂ、１９ｃの異常判断は、前記バッテリー９の電圧よりも低い電圧を供給する前記プリチャージ回路１５による前記インバータ回路１１に電力が供給された状態で行われる。
よって、インバータ回路１１の下流側のスイッチング回路が通電状態（ＯＮ）故障していても、バッテリー９からの貫通電流が流れることを抑制できる。
【００２２】
(5) 前記中性点の電圧を検出する電圧モニター回路２１には所定の電圧が印加されているため、Ａ／Ｄコンバータの基準電圧が'０'Ｖではなくなるため、中性点電圧の検出精度を向上することができる。
【００２３】
［実施例２］
実施例２は、複数のモータリレー１９ａ、１９ｂ、１９ｃが複数のステータコイルＵ、Ｖ、Ｗ相のそれぞれよりもモータ制御装置８内の中性点１８側に配置されている点で、第１実施例と相違する。
図４は、実施例２のモータ制御装置の具体的構成を示すブロック図である。
モータ制御装置８は、電動パワーステアリングの機能を司る演算をマイクロプロセッサ１３が実施している。該マイクロプロセッサ１３への車速等の情報入手および電動パワーステアリングの状態を出力する車両通信部１４が設けられている。また、マイクロプロセッサ１３には操舵トルクセンサ２より操舵トルク信号も入力されている。
【００２４】
そのモータ制御装置８の直流電源としてのバッテリー９からの電力を、前記マイクロプロセッサ１３内に設けられた電源リレー制御部１３ｂによりＯＮ−ＯＦＦされる電源リレー１０、該電源リレー１０をＯＮする時の突入電流を低減させるために、ＯＮする前にあらかじめ前記電源リレー１０の下流の電位を前記電源リレー１０上流の電位に近づけるためのバッテリー９の電圧より低い電圧（例えば、'３'Ｖ以下）を供給するプリチャージ回路１５が設けられている。また、マイクロプロセッサ１３へは、回路電源作成部１６を介してバッテリー９からの電力が供給される。さらに、前記電源リレー１０下流の電圧を電圧モニター回路２２にてモニターして、マイクロプロセッサ１３へ入力している。
【００２５】
前記電動モータ７を適切に駆動するため、該電動モータ７を駆動するためのインバータ回路１１内の図示しないＦＥＴに、前記マイクロプロセッサ１３にて演算されたインバータ駆動指令をＰＷＭ信号として出力するプリドライバー１７を設けている。インバータ回路１１は、電動モータ７の回転出力を制御するための電流制御機能を有している。インバータ回路１１の下流には、直流電流を検出するモータ電流検出部１２が設けられている。その検出された電流値は、マイクロプロセッサ１３に入力される。該インバータ回路１１で制御されたモータ電流はスター結線からなる三相ブラシレスモータである電動モータ７に印加されるようになっている。
【００２６】
実施例１とは異なり、マイクロプロセッサ１３によりＯＮ−ＯＦＦ制御される複数のモータリレー１９ａ、１９ｂ、１９ｃが複数のステータコイルＵ、Ｖ、Ｗ相のそれぞれよりもモータ制御装置８内の中性点１８側に配置されている。
さらに、前記電動モータ７の回転位置を検出するためのモータ回転位置検出部２０が設けられ、モータ回転位置をマイクロプロセッサ１３に入力している。また、中性点１８の電圧をモニターする所定の電圧が印加されている中性点電圧モニター回路２１により、検出された中性点電圧がマイクロプロセッサ１３に入力されている。
前記モータリレー異常判断部１３ｂが行う制御については、実施例１の図３と同様である。
【００２７】
［効果］
実施例２において、実施例１の効果に加えて得られる効果について、以下に列記する。
【００２８】
(1) 複数のモータリレー１９ａ、１９ｂ、１９ｃが複数のステータコイルＵ、Ｖ、Ｗ相のそれぞれよりもモータ制御装置８内の中性点１８側に配置されている。
よって、複数のステータコイルＵ、Ｖ、Ｗ相を含む、より広い範囲での相間ショートによる電気ブレーキモードを複数のモータリレー１９ａ、１９ｂ、１９ｃにより回避することができる。また、中性点１８をモータ制御装置８内に設置するので、配線の簡素化も実現できる。
【００２９】
［他の実施例］
以上、本発明を実現するための形態を、実施例に基づいて説明してきたが、本発明の具体的な構成は実施例に限定されるものではなく、発明の要旨を逸脱しない範囲の設計変更等があっても、本発明に含まれる。
【符号の説明】
【００３０】
１          ステアリングシャフト
２          操舵トルクセンサ
３          舵角センサ
４          操舵補助機構
５          減速機
６          タイロッド
７          電動モータ
８          モータ制御装置
９          バッテリー
１０          電源リレー
１１          インバータ回路（インバータ）
１３          マイクロプロセッサ
１３ａ          モータリレー異常判断部
１３ｂ          電源リレー制御部
１５          プリチャージ回路
１９ａ          モータリレー
１９ｂ          モータリレー
１９ｃ          モータリレー
２１          中性点電圧モニター回路
【図１】
2018046625.tif 000003
【図２】
2018046625.tif 000004
【図３】
2018046625.tif 000005
【図４】
2018046625.tif 000006